(57)【要約】      （修正有）【課題】  色むらの発生を抑制して照明の質を向上した発光ダイオード照明モジュールおよびこれを用いた照明装置を提供する。【解決手段】  発光ダイオード照明モジュールＬＭは、基板２に配設された発光ダイオードチップ６から放射する光の一部を波長変換するように配設された蛍光体層１２を含んでなる発光ダイオード１と、これに対向して配設され、出射角の小さな光が主として入射する凸レンズ部２１および出射角の大きな光が主として入射するように凸レンズ部の周辺に位置する反射部２３を備え、発光ダイオードチップ６から放射して直接凸レンズ部２１および反射部２３から出射する光が形成する第１の配光特性Ａと蛍光体層１２から放射して凸レンズ部２１および反射部２３から出射する光が形成する第２の配光特性Ｂとがほぼ同様であるように構成されたレンズ体２０とを具備している。【選択図】図１
2007150255.tif 000002
【特許請求の範囲】
【請求項１】
基板、基板に配設された発光ダイオードチップおよび発光ダイオードチップから放射する光の一部を波長変換するように配設された蛍光体層を含んでなる発光ダイオードと；
発光ダイオードに対向して配設され、発光ダイオードから放射する光のうち出射角の小さな光が主として入射する凸レンズ部および凸レンズ部に入射する光より出射角の大きな光が主として入射するように凸レンズ部の周辺に位置する反射部を備え、発光ダイオードの発光ダイオードチップから放射して直接凸レンズ部および反射部に入射し出射する光が形成する第１の配光特性と発光ダイオードの蛍光体層から出射する光が凸レンズ部および反射部に入射し出射する光が形成する第２の配光特性とがほぼ同様であるように構成されたレンズ体と；
を具備していることを特徴とする発光ダイオード照明モジュール。
【請求項２】
レンズ体の反射部は、主として回転放物面または回転楕円面により形成され、かつ回転放物面の焦点が光軸に沿って蛍光体層より照射方向の前方に位置していることを特徴とする請求項１記載の発光ダイオード照明モジュール。
【請求項３】
第１の配光特性は、その配光ピークが７〜１３°の範囲内にあり、第２の配光特性は、その１／２ビーム角が１３〜３５°の範囲内にあり、かつ上記配光ピークの範囲と１／２ビーム角の範囲が相関的に連帯していることを特徴とする請求項１または２記載の発光ダイオード照明モジュール。
【請求項４】
照明装置本体と；
照明装置本体に配設された請求項１ないし３のいずれか一記載の発光ダイオード照明モジュールと；
を具備していることを特徴とする照明装置。
【発明の詳細な説明】
【技術分野】
【０００１】
本発明は、発光ダイオード照明モジュールおよびこれを備えた照明装置の改良に関する。
【背景技術】
【０００２】
発光ダイオードから放射される光を集束させる第１レンズと、第１レンズの出射光をほぼ平行光に集束する第２レンズを設置した照明装置は既知である（例えば、特許文献１参照。）。
【０００３】
また、ＬＥＤランプから前方に向けて出た光の進行方向を補正する凸レンズ部、ＬＥＤランプを収納する凹部およびＬＥＤランプの側面光を前方へ反射させるレンズであって反射面が放物面またはその近似曲面にされた反射器本体をＬＥＤランプと組み合わせた発光ダイオード照明モジュールをマトリクス状に配列してなるスポット投光器は既知である（特許文献２参照。）。
【０００４】
さらに、青色発光の発光ダイオードに黄色発光の蛍光体層を組み合わせて補色による白色光を発生させるようにした発光ダイオードは既知である。なお、この種の発光ダイオードにおいて、発光ダイオードチップは、これを蛍光体層中に埋設するか、蛍光体層の後背部に配設された拡散層などの層中に埋設するのが一般的である。
【０００５】
そこで、特許文献２に記載の従来技術に用いる発光ダイオードを上記白色発光の発光ダイオードに代替することが考えられる。この場合、既知の設計手法に従えば発光ダイオードの発光位置は単一部分であるものとして扱うのが一般的であった。したがって、特許文献２の場合、凸レンズ部から出射する光と、全反射部から出射する光との配光特性の違いによる照度むらが生じるのを回避するために、凸レンズ部から出射する光の配光特性と全反射部から出射する光の配光特性とが一致するように設計する。
【０００６】
また、特許文献１に記載の従来技術に用いる発光ダイオードを上記白色発光の発光ダイオードに代替することも考えられる。この場合もまた上記と同様に発光ダイオードの発光位置は単一部分であるものとして扱うのが一般的である。
【０００７】
【特許文献１】特開２００３−２８１９０８号公報
【特許文献２】特開２００３−２８１９０９号公報
【発明の開示】
【発明が解決しようとする課題】
【０００８】
ところが、特許文献１および特許文献２に記載の照明装置に、蛍光体層を組み合わせて白色発光を得るように構成された発光ダイオードを用いた場合、色むらを生じるという問題のあることが分かった。
【０００９】
本発明者が上記色むらが発生する原因を調査した結果、発光ダイオードの構造に起因していることが分かった。
【００１０】
すなわち、前記の補色関係によって白色光が放射されるように構成された発光ダイオードでは、発光ダイオードチップから波長変換されることなく直接外部へ出射する直接光と、蛍光体層で波長変換されて蛍光体層から出射する波長変換光との出射位置が相違する。上記直接光は、発光ダイオードチップの表面が光源の位置となると考えることができる。これに対して、上記波長変換光は、蛍光体層の表面が光源の位置となると考えることができる。そうして、蛍光体層の表面は、発光ダイオードチップより光軸方向の前方に位置しているので、直接光と、波長変換光とではそれぞれの光源位置が光軸方向の位置が前後にずれていることになる。
【００１１】
また、従来のように光源位置が単一のものであるとして設計されている全反射レンズを使用すると、直接光の配光特性と波長変換光の配光特性が大きく相違する。すなわち、直接光の配光特性は、出射角の小さな範囲で光度が極端に大きな値で分布するが、出射角が大きくなると、光度が極端に小さくなる。これに対して、波長変換光の配光特性は、出射角の広い範囲にわたって光軸方向を頂点とするなだらかな山状をなして光度が変化する。
【００１２】
その結果、色むらが発生することが判明した。補色による白色光を発生させる場合、色むらが発生していると、照明装置の光軸方向の出射角が小さな範囲では直接光の光度が大きくて、しかも青みがかった光となり、光軸から離間した照射角の大きな方向では相対的に光度が小さくて、しかも黄みがかった光となってしまう。その結果、色むらによって照明の質が著しく低下したものとなってしまうという問題がある。
【００１３】
本発明は、色むらの発生を抑制して照明の質を向上した発光ダイオード照明モジュールおよびこれを用いた照明装置を提供することを目的とする。
【課題を解決するための手段】
【００１４】
本発明における第１の態様の発光ダイオード照明モジュールは、基板、基板に配設された発光ダイオードチップおよび発光ダイオードチップから放射する光の一部を波長変換するように配設された蛍光体層を含んでなる発光ダイオードと；発光ダイオードに対向して配設され、発光ダイオードから放射する光のうち出射角の小さな光が主として入射する凸レンズ部および凸レンズ部に入射する光より出射角の大きな光が主として入射するように凸レンズ部の周辺に位置する反射部を備え、発光ダイオードの発光ダイオードチップから放射して直接凸レンズ部および反射部に入射し出射する光が形成する第１の配光特性と発光ダイオードの蛍光体層から出射する光が凸レンズ部および反射部に入射し出射する光が形成する第２の配光特性とがほぼ同様であるように構成されたレンズ体と；を具備していることを特徴としている。
【００１５】
本発明および以下の各発明において、特に指定しない限り用語の定義および技術的意味は次による。
【００１６】
〔発光ダイオードについて〕    発光ダイオードは、基板、発光ダイオードチップおよび蛍光体層を含んでいる。
【００１７】
基板は、発光ダイオードチップを支持するとともに、発光ダイオードチップに対する配線を備えている。なお、上記配線は、所要の電源に接続される。また、基板は、多数の発光ダイオードチップをマトリクス状に配列できるように構成されていることを許容する。
【００１８】
発光ダイオードチップは、ベアチップ状をなしているものを用いるのが一般的であり、また大型化を回避するために好ましいが、所望により例えば特許文献２に記載のように砲弾形状をなしているような透光性樹脂中に埋設されているものを用いるのであってもよい。
【００１９】
また、発光ダイオードチップは、基板に支持されるとともに、基板の配線に接続される。
【００２０】
さらに、発光ダイオードチップは、所望の発光色を有しているものを用いることができる。例えば、青色発光形や紫外光発光形などの発光ダイオードチップを用いることができる。
【００２１】
蛍光体層は、発光ダイオードチップから出射する光の少なくとも一部を波長変換して異なったの光色の光を発生させるための手段である。したがって、蛍光体層は、発光ダイオードチップから放射する光が通過するような位置および態様において配設される。例えば、発光ダイオードチップが蛍光体層中に埋設されるように配設することができる。また、発光ダイオードチップが透明性樹脂に金属酸化物微粒子を分散させた拡散層中に埋設され、拡散層の前面側に位置するように蛍光体層を重層的に形成することもできる。
【００２２】
また、蛍光体層は、その蛍光体の発光色が特段限定されない。例えば、発光ダイオードチップの発光色が青色光の場合、青色光と補色関係にある黄色発光を行う蛍光体を用いて蛍光体層を形成することができる。この場合、発光ダイオードチップから放射する直接光と蛍光体層により波長変換されて発光した黄色光とが補色関係にあるので、これらが加法混色することにより、白色光が得られる。この混色方式の発光ダイオードは、光の利用率が高く、しかも比較的簡単な構成とすることができるので、本発明においては、頗る好適である。しかし、所望により補色関係にない可視光を発生する蛍光体層を用いることもできる。
【００２３】
また、所望により発光ダイオードチップの発光色が紫外光の発光ダイオードを用いることも許容される。この場合には、赤色発光、緑色発光および青色発光をそれぞれ行う３波長発光形の蛍光体を用いて蛍光体層を形成するのがよい。そうして、発光ダイオードチップから放射する紫外光を蛍光体層により可視光に波長変換して白色光が得られる。しかし、紫外光の一部は波長変換されないで直接光として出射する。
【００２４】
発光ダイオードチップは、以上の構成要素に加えて所望によりその他の構成を適宜付加することが許容される。例えば、発光ダイオードチップおよび蛍光体層から発生する光を前方へ反射させるための反射部を備えていることができる。
【００２５】
〔レンズ体について〕    レンズ体は、透明な樹脂、例えば透明アクリル樹脂などやガラスなどの透明物質から形成され、凸レンズ部および反射部を備えている。また、レンズ体は、好ましくは凸レンズ部および反射部が一体成形されている。
【００２６】
凸レンズ部は、光軸方向の中心部に配設され、発光ダイオードから放射して光軸方向の比較的出射角の小さな範囲の光、換言すれば発光ダイオードから前方へ出射した光が主として入射する。なお、レンズ部に入射する光には、発光ダイオードチップから波長変換されることなく直接出射する光（以下、便宜上「直接光」という。）と、発光ダイオードチップから放射して蛍光体層に入射し、波長変換されて出射する光（以下、便宜上「波長変換光」という。）のうち出射角の比較的小さな範囲の光との両方が含まれる。
【００２７】
反射部は、凸レンズ部の周囲に配設され、凸レンズ部に入射する光より出射角の大きな光が入射し、入射光を反射して光軸方向へ出射させる。なお、反射部に入射する光には、発光ダイオードチップからの直接光と蛍光体層からの波長変換光とが含まれる。また、反射部は、好ましくは内面全反射により反射するように構成することができる。
【００２８】
また、反射部は、その反射面が好適には主として回転放物面または回転楕円面により形成されている。なお、各々の面に対して異なる種類の曲面の一部をつなげるようにしてもよい。この場合、回転放物面の焦点は、光軸に沿って蛍光体層より光照射方向の前方に位置している。
【００２９】
また、レンズ体は、上記直接光が凸レンズ部および反射部に入射し出射する光が形成する配光特性と、上記波長変換光が凸レンズ部および反射部に入射し出射する光が形成する配光特性とがほぼ同様となるように構成されている。なお、配光特性がほぼ同様であるとは、全く同じであれば理想的であるが、実用的にはそれぞれの配光特性が概ねにおいて類似しており、かつ実際上色むらが軽減されていれば、配光特性が類似していると認定することが許容される。
【００３０】
上記直接光のうち反射部に入射して出射する光が形成する第１の配光特性は、その配光ピークが７〜１３°の範囲内にあるのが好ましい。また、上記変換光による第２の配光特性は、その１／２ビーム角が１３〜３５°の範囲内にあり、かつ上記配光ピークの範囲と１／２ビーム角の範囲が相関的に連帯しているのが好ましい。すなわち、例えば上記直接光による配光ピークが下限値であれば、上記変換光の配光特性はその下限値を含むその近傍の値であり、同様に上記直接光による配光ピークが上限値であれば、上記変換光による配光特性はその上限値を含むその近傍の値であり、上記各範囲の中間部においても以上と同様な関係をとる。なお、上記角配光ピークおよび１／２ビームが上記範囲から外れると、本発明の作用、効果を得るのがやや困難になる。
【００３１】
本発明においては、発光ダイオード照明モジュールの出射角度２０°以内における相関色温度の分布が±１０％以内であれば色むらが抑制されて少ないといえる。
【００３２】
さらに、レンズ体は、凸レンズ部および反射部の他に凹部を配設することが許容される。この場合の凹部は、反射部へ入射する光を多くするのに効果的である。すなわち、発光ダイオードから出射する光のうち、出射角が相対的に大きな光が最初に凹部の側面からレンズ体内に入射し、屈折して反射部に入射する。屈折により反射部に入射する光の出射角が直接入射する場合より大きくなる。
【００３３】
本発明の照明装置は、照明装置本体と；照明装置本体に配設された請求項１または２記載の発光ダイオード照明モジュールと；を具備していることを特徴としている。
【００３４】
本発明において、照明装置とは、本発明の発光ダイオード照明モジュールを何らかの照明の目的のために使用する装置の全てに適応するものである。例えば、一般照明用の各種照明器具、例えばダウンライト、天井直付け灯、道路用照明器具、トンネル用照明器具および投光器など、さらには表示装置などに用いることができる。
【００３５】
発光ダイオード照明モジュールは、単一の発光ダイオードおよびレンズ体でもよいし、多数がマトリクス状などに配列されたものであってもよい。
【発明の効果】
【００３６】
本発明によれば、凸レンズ部および反射部を備えたレンズ体または第１レンズ体および第２レンズ体に入射し、出射して形成される直接光と波長変換光のそれぞれの配光特性がほぼ同様であるように構成されていることにより、色むらの発生を抑制して照明の質を向上した発光ダイオード照明モジュールおよびこれを用いた照明装置を提供することができる。
【発明を実施するための最良の形態】
【００３７】
以下、図面を参照して本発明を実施するための形態を説明する。
【００３８】
図１ないし図１０は、本発明の発光ダイオード照明モジュールを実施するための第１の形態を示し、図１は光線追跡図、図２は発光ダイオードの平面図、図３は図２のIII−III´線に沿う拡大断面図、図４は図３におけるIV−IV´線に沿う拡大断面図、図５はレンズ体を示し、（ａ）は正面図、（ｂ）は平面図、（ｃ）は底面図、（ｄ）は正面断面図、（ｅ）は（ｄ）におけるＢ部の拡大断面図、図６は発光ダイオードの分光分布曲線図、図７はレンズ部から出射する発光ダイオードチップの光の配光特性を示すグラフ、図８は反射部から出射する発光ダイオードチップの光の配光特性を示すグラフ、図９は実施例および比較例におけるレンズ効率、３０°以内の光利用率、相関色温度Maxおよび同Minを示す表、図１０は実施例の相関色温度特性を比較例のそれとともに示すグラフである。
【００３９】
第１の形態において、発光ダイオード照明モジュールＬＭは、発光ダイオード１およびレンズ体２０を具備して構成されている。
【００４０】
まず、発光ダイオードチップの構成について説明する。
【００４１】
発光ダイオード１は、基板２上に複数のＬＥＤ（発光ダイオード）装置３、３、…を例えば３行×３列のマトリクス状に配設し、かつ一体に形成されている。
【００４２】
基板２は、放熱性と剛性を有するアルミニウム（Ａｌ）やニッケル（Ｎｉ）、ガラスエポキシなどの平板からなる。そして、複数のＬＥＤ装置３、３、…の各基板を一体化してなる一体基板である。基板２上には、電気絶縁層４を介してリードフレーム５は配設されている。
【００４３】
図４に示すように、リードフレーム５は、各ＬＥＤ装置３ごとに銅（Ｃｕ）とニッケル（Ｎｉ）の合金や金（Ａｕ）などにより、カソード側とアノード側の回路パターン（配線パターン）５ａ、５ｂを形成している。このリードフレーム５上には、各ＬＥＤ装置３ごとに青色発光形発光ダイオードチップ６をそれぞれ実装している。
【００４４】
各青色発光形発光ダイオードチップ６は、青色光を発生する例えば窒化ガリウム（ＧａＮ）系半導体などからなる。また、各青色発光形発光ダイオードチップ６は、その底面電極を回路パターン５ａ、５ｂの一方の上面に載置して電気的に接続するとともに、上面電極を回路パターンの他方にボンディングワイヤ７により接続している。
【００４５】
前記基板２上には、各青色発光形発光ダイオードチップ６の周囲を所要の間隔を確保して包囲し、基板２の反対側（図３および図４では上方）に向けて順次拡開する逆切頭円錐形状の凹部８をそれぞれ同心状に形成したレンズホルダ９を各ＬＥＤ装置３に形成している。なお、各レンズホルダ９は、一体化されている。レンズホルダ９は、例えばＰＢＴ（ポリブチレンテレフタレート）やＰＰＡ（ポリフタルアミド）、ＰＣ（ポリカーボネート）などの樹脂からなる。ない、各凹部８は外部へ向かって開口する開口８ａをそれぞれ有する。
【００４６】
各凹部８ａは、その内部に、透光性を有するシリコーン樹脂やエポキシ樹脂などの熱硬化性樹脂を封止樹脂１０としてそれぞれ充填している。この封止樹脂１０は、青色発光形発光ダイオードチップ６側の拡散層１１と、凹部８の開口８ａ側の黄色発光形蛍光体層１２との２層に形成されている。
【００４７】
拡散層１１は、後述する黄色発光形蛍光体層１２に入射する光を拡散したい場合に用いることができ、凹部８内に、アルミナ（Ａｌ２Ｏ３）、チタニア（ＴｉＯ２）、カルシア（ＣａＯ）、シリカ（ＳｉＯ２）、イットリア（Ｙ２Ｏ３）などの金属酸化物やこれらの金属単体の微粒子からなる拡散剤を、例えば３〜５質量％添加した封止樹脂を、発光ダイオードチップ６が内部に埋設されるように充填して、熱硬化させることにより形成されている。なお、拡散層１１の表面は、中央が例えば１〜５μｍ程度凹窪するように形成することができる。しかし、黄色発光形蛍光体層１２からの変換光をレンズ体により制御する場合、その光学制御を容易、かつ確実にするためには拡散の程度をなるべく少なくするのが好ましく、さらには本発明の実施の一態様として拡散層１１を備えない構成を採用することができる。
【００４８】
黄色発光形蛍光体層１２は、拡散層１１を熱硬化して形成後に、黄色発光蛍光体を所要量添加した封止樹脂を凹部８内に充填し、熱硬化させて形成している。なお、黄色発光形蛍光体層１２は、青色発光形発光ダイオードチップ６から放射される青色光により励起されて黄色光を発生する。
【００４９】
次に、レンズ体２０の構成について説明する。
【００５０】
レンズ体２０は、図５に示すように、例えば透明アクリル樹脂製であり、凸レンズ部２１、凹部２２および反射部２３から構成され、発光ダイオードチップ１に接近して正対している。本形態において、レンズ体２０は、その複数（９個）が３列×３行のマトリクス状に配列して一体化されてレンズモジュールＲＭを構成している。
【００５１】
凸レンズ部２１は、図５（ｅ）に拡大して示すように、レンズ体２０の中心部に位置し、発光ダイオード１から光軸方向の比較的狭い出射角の光が入射する。
【００５２】
凹部２２は、その内面が回転近似放物面状の円柱状をなし、上端が凸レンズ部２１の周縁部に連続し、凸レンズ部２１に入射する光より出射角の大きな光が入射する。
【００５３】
反射部２３は、凹部２２からレンズ体２０の内部に進入した光が反射するように形成されており、凸レンズ部２１の周辺に配置されている。また、反射部２３は、全反射形であり、反射光がレンズ体２０から前方へ出射する。
【００５４】
また、レンズ体２０は、その平面部が図５（ｂ）に示すように平坦に形成されている。
【００５５】
次に、本形態の発光ダイオード照明モジュールＬＭにおける作用について説明する。
【００５６】
まず、発光ダイオード１のカソード側とアノード側の回路パターン５ａ、５ｂ間に所定の直流電流が通流すると、発光ダイオードチップ６が青色光を発光する。この青色光は、拡散層１１で適度に拡散され、さらにその一部が蛍光体層１２に入射して黄色発光形蛍光体を励起する。黄色発光形蛍光体は、励起して黄色光を放射する。したがって、上記黄色光は、波長変換光である。一方、青色光の残部は、直接光となる。そして、直接光および波長変換光は、ともに発光ダイオード１から外部へ放射する。
【００５７】
したがって、発光ダイオード１の分光分布は、図６に示すようになっている。図において、横軸は波長（ｎｍ）、縦軸は相対強度を、それぞれ示す。また、図中の実線で示す曲線部分は発光ダイオードチップからの青色光（「チップからの発光」）、微細点線で示す曲線部分は蛍光体層からの黄色光（「蛍光体での発光」）である。
【００５８】
図１の光線追跡図に示すように、発光ダイオード１から外部へ放射する光は、直接光が発光ダイオードチップ６の表面から放射するとみなすことができる。また、波長変換光は、蛍光体層１２の表面から放射するとみなすことができる。発光ダイオードチップ６の表面は、光軸ＬＸの相対的に後方に位置し、蛍光体層１２の表面は相対的に前方に位置している。したがって、発光ダイオード１から外部へ放射する光は、直接光と波長変換光の発光点が光軸方向に前後にずれている。
【００５９】
図１に示すように、第１の形態においては、直接光が凸レンズ部２１に入射してそこから出射した光ａ１と、反射部２３に入射してそこから出射した光ａ２とが形成する配光特性Ａと、波長変換光が凸レンズ部２１に入射してそこから出射した光ｂ１と、反射部２３に入射して、そこから出射した光ｂ２とが形成する配光特性Ｂとが、ほぼ同様になるようにレンズ体が設計され、かつ発光ダイオード１に対して設定されている。
【実施例】
【００６０】
図７は、本形態の実施例における直接光のうち反射部に入射して出射する出射光が形成する配光ピークが約１０°のときであって、直接光により形成される配光特性Ａを説明する出射角と光度の関係を示すグラフである。図において、横軸は出射角度（°）を、縦軸は光度（ｃｄ）を、それぞれ示す。また、図中の長点線で示すグラフは光ａ１による光度分布すなわち配光特性、短点線で示すグラフは光ａ２による光度分布すなわち配光特性、実線で示すグラフは光ａ１＋ａ２による光度分布すなわち配光特性Ａ、をそれぞれ示している。なお、配光特性Ａの半値幅は約２４°である。
【００６１】
図８は、本形態の実施例における波長変換光により形成される配光特性Ｂを説明する出射角と光度の関係を示すグラフである。図において、横軸は出射角度（°）を、縦軸は光度（ｃｄ）を、それぞれ示す。また、図中の長点線で示すグラフは光ｂ１による光度分布すなわち配光特性、短点線で示すグラフは光ｂ２による光度分布すなわち配光特性、実線で示すグラフは光ｂ１＋ｂ２による光度分布すなわち配光特性Ｂ、をそれぞれ示している。なお、配光特性Ｂの半値幅は約２７°である。
【００６２】
以上の図７と図８を対比すれば理解できるように、配光特性ＡとＢは、概ねにおいて類似しており、したがってこの程度であれば配光特性ＡとＢがほぼ同様であるといって差し支えない。
【００６３】
図９は、上記実施例および比較例におけるレンズ効率、３０°の以内の光利用率、相関色温度Maxおよび同Minを対比して示す表である。
【００６４】
以上説明した本形態の実施例は、レンズ効率、３０°以内の光利用率、相関色温度Maxおよび同Minは図９に示す表のとおりであった。この表から理解できるように、本発明によれば、レンズ効率、３０°の以内の光利用率および相関色温度が従来技術に比較して顕著に優れている。なお、比較例は、直接光および波長変換光の発光点が同一であるとみなしている以外は実施例と同様の設計に基づいて製作したものである。
【００６５】
図１０は、実施例の相関色温度特性を比較例のそれとともに示すグラフである。図において、横軸は出射角度（°）を、縦軸は相関色温度（Ｋ）を、それぞれ示す。また、図中の実線は本発明の実施例、長点線は比較例、をそれぞれ示している。
【００６６】
図から理解できるように、本発明によれば、色むらが著しく抑制される。これに対して、比較例に示す従来技術の場合、色むらが顕著である。
【００６７】
図１１は、本発明の照明装置を実施するための一形態を示すダウンライトの断面図である。本形態は、本発明の発光ダイオード照明モジュールにおける第１の形態を用いて構成されている。
【００６８】
図において、４１は照明装置本体であり、その内部に発光ダイオード照明モジュールＬＭを収納している。照明装置本体４１は、額縁状をなしていて、背面の周段部４１ａに発光ダイオード照明モジュールＬＭを載置している。なお、１点鎖線は光軸ＬＸである。
【００６９】
そうして、本形態において、光ビーム角は約３０°である。
【図面の簡単な説明】
【００７０】
【図１】本発明の発光ダイオード照明モジュールを実施するための第１の形態における光線追跡図
【図２】同じく発光ダイオードの平面図
【図３】図２のIII−III´線に沿う拡大断面図
【図４】図３におけるIV−IV´線に沿う拡大断面図
【図５】同じくレンズ体を示し、（ａ）は正面図、（ｂ）は平面図、（ｃ）は底面図、（ｄ）は正面断面図、（ｅ）は（ｄ）におけるＢ部の拡大断面図
【図６】同じく発光ダイオードの分光分布曲線図
【図７】同じくレンズ部から出射する発光ダイオードチップの光の配光特性を示すグラフ
【図８】同じく反射部から出射する発光ダイオードチップの光の配光特性を示すグラフ
【図９】同じくは実施例および比較例におけるレンズ効率、３０°以内の光利用率、相関色温度Maxおよび同Minを示す表
【図１０】同じく実施例の相関色温度特性を比較例のそれとともに示すグラフ
【図１１】本発明の照明装置を実施するための一形態を示すダウンライトの断面図
【符号の説明】
【００７１】
１…発光ダイオード、６…発光ダイオードチップ、２０…レンズ体、２１…凸レンズ部、２２…凹部、２３…反射部、Ａ…直接光による配光特性、ａ１…凸レンズ部から出射する直接光、ａ２…反射部から出射する直接光、Ｂ…波長変換光による配光特性、ｂ１…凸レンズ部から出射する波長変換光、ｂ２…反射部から出射する波長変換光、ＬＭ…発光ダイオード照明モジュール、ＬＸ…光軸
【図１】
2007150255.tif 000003
【図２】
2007150255.tif 000004
【図３】
2007150255.tif 000005
【図４】
2007150255.tif 000006
【図５】
2007150255.tif 000007
【図６】
2007150255.tif 000008
【図７】
2007150255.tif 000009
【図８】
2007150255.tif 000010
【図９】
2007150255.tif 000011
【図１０】
2007150255.tif 000012
【図１１】
2007150255.tif 000013